(57)【要約】【課題】本発明は除湿装置に関するもので、部屋干しの洗濯物の乾燥時間を短縮することができるものである。【解決手段】第１の吸気口と第２の吸気口と吹出口とを有する本体ケース内には、冷凍サイクルと、送風装置と、熱交換器とを備えている。第１の羽根部によって、第１の吸気口から本体ケース内に吸気した空気を吸熱器、熱交換器の第２の熱交換風路を順次介して吹出口へと送風する第１の除湿風路と、第１の羽根部によって、第１の吸気口から本体ケース内に吸気した空気を熱交換器の第１の熱交換風路を介して吹出口へと送風する第２の除湿風路と、第２の羽根部によって、第２の吸気口から本体ケース内に吸気した空気を放熱器を介して吹出口へと送風する温風風路とを有し、第２の羽根部の第２の送風量は、第１の羽根部の第１の送風量より大きく、部屋干しの洗濯物の乾燥時間を短縮することができる。【選択図】図１
2019086262.tif 000002
【特許請求の範囲】
【請求項１】
第１の吸気口と第２の吸気口と吹出口とを有する本体ケースと、
前記本体ケース内に設けられた冷凍サイクルと送風装置と、
熱交換を行なうことができる第１の熱交換風路と第２の熱交換風路とを有する熱交換器とを備え、
前記冷凍サイクルは、圧縮機と、前記圧縮機の下流に順次設けた放熱器、膨張手段、吸熱器とにより形成し、
前記送風装置は、前記第１の吸気口から前記本体ケース内に吸気した空気を前記吹出口へ送風する第１の羽根部と、
前記第２の吸気口から前記本体ケース内に吸気した空気を前記吹出口へ送風する第２の羽根部とを有し、
前記第１の羽根部によって、前記第１の吸気口から前記本体ケース内に吸気した空気を前記吸熱器、前記熱交換器の前記第２の熱交換風路を順次介して前記吹出口へと送風する第１の除湿風路と、
前記第１の羽根部によって、前記第１の吸気口から前記本体ケース内に吸気した空気を前記熱交換器の前記第１の熱交換風路を介して前記吹出口へと送風する第２の除湿風路と、
前記第２の羽根部によって、前記第２の吸気口から前記本体ケース内に吸気した空気を前記放熱器を介して前記吹出口へと送風する温風風路とを有し、
前記第２の羽根部の第２の送風量は、前記第１の羽根部の第１の送風量より大きいことを特徴とする除湿装置。
【請求項２】
前記第２の羽根部における回転軸の軸方向の寸法は、前記第１の羽根部における回転軸の軸方向の寸法より大きいことを特徴とする請求項１に記載の除湿装置。
【請求項３】
前記第１の吸気口は、前記本体ケースにおける前面側に配置されたことを特徴とする請求項１または２のいずれかに記載の除湿装置。
【請求項４】
前記送風装置は、
前記第１の羽根部と前記第２の羽根部とを回転させるモータ部を有し、
前記第１の羽根部と前記第２の羽根部とは一体に形成され、
前記モータ部は、
前記第２の羽根部と前記放熱器との間の前記温風風路に配置されたことを特徴とする請求項２または３のいずれかに記載の除湿装置。
【請求項５】
前記送風装置は、
前記第１の羽根部と前記第２の羽根部とを回転させるモータ部を有し、
前記モータ部は、前記第１の羽根部と前記第２の羽根部との間に配置されたことを特徴とする請求項２または３のいずれかに記載の除湿装置。
【請求項６】
前記第１の吸気口と、前記吸熱器と、前記熱交換器と、前記送風装置と、前記放熱器と、前記第２の吸気口とは、一直線上に配置され、
前記吸熱器及び前記熱交換器の下方には、前記吸熱器及び前記熱交換器から滴下する結露水を集める集水部を設け、
前記集水部、前記吸熱器、前記熱交換器、前記送風装置、及び前記放熱器の下方に、前記集水部から滴下する結露水を貯水する集水タンクを設けたことを特徴とする請求項１から５のいずれかに記載の除湿装置。
【請求項７】
前記第１の吸気口と、前記吸熱器と、前記熱交換器と、前記送風装置と、前記放熱器と、前記第２の吸気口とは、本体ケースにおける前後方向に一直線上に配置され、
前記集水タンクの本体ケースにおける左右方向の寸法は、
前記集水タンクの本体ケースにおける前後方向の寸法より大きいことを特徴とする請求項６に記載の除湿装置。
【発明の詳細な説明】
【技術分野】
【０００１】
本発明は、冷凍サイクルを利用して冷却除湿をおこなう除湿装置に関する。
【背景技術】
【０００２】
従来、この種の除湿装置は、良く知られているように、吸気口と吹出口を有する本体ケースと、この本体ケース内に設けられた冷凍サイクルと熱交換器と送風機とを備えている。冷凍サイクルは、圧縮機と、圧縮機の下流に順次設けた放熱器、膨張手段、吸熱器とにより形成し、熱交換器は、熱交換を行なうことができる第１の熱交換風路と第２の熱交換風路とを備え、送風機によって、吸気口から本体ケース内に吸気した空気を熱交換器の第１の熱交換風路、吸熱器、熱交換器の第２の熱交換風路、放熱器を順次介して吹出口へと送風する除湿風路を形成していた（例えばこれに類似する先行文献としては、下記特許文献１が存在する）。
【先行技術文献】
【特許文献】
【０００３】
【特許文献１】特開２００５−２１４５３３号公報
【発明の概要】
【発明が解決しようとする課題】
【０００４】
従来、この種の除湿装置は、送風機によって、吸気口から本体ケース内に吸気した空気を熱交換器の第１の熱交換風路、吸熱器、熱交換器の第２の熱交換風路、放熱器を順次介して吹出口へと送風する除湿風路を有している。部屋干しの洗濯物を速く乾かすために、送風量を増加させることは有効であるが、除湿風路に熱交換器があり風路抵抗が大きいので、風量を増加させると騒音も増加する。
【０００５】
そこで本発明は、上記従来の課題を解決するものであり、風路抵抗を低減することで、除湿装置の騒音の増加を抑制し、風量を増加させ、部屋干しの洗濯物の乾燥時間を短縮することを目的とする。
【課題を解決するための手段】
【０００６】
本発明の除湿装置は上記目的を達成するために、第１の吸気口と第２の吸気口と吹出口とを有する本体ケースと、前記本体ケース内に設けられた冷凍サイクルと送風装置と、熱交換を行なうことができる第１の熱交換風路と第２の熱交換風路とを有する熱交換器とを備え、前記冷凍サイクルは、圧縮機と、前記圧縮機の下流に順次設けた放熱器、膨張手段、吸熱器とにより形成し、前記送風装置は、前記第１の吸気口から前記本体ケース内に吸気した空気を前記吹出口へ送風する第１の羽根部と、前記第２の吸気口から前記本体ケース内に吸気した空気を前記吹出口へ送風する第２の羽根部とを有し、前記第１の羽根部によって、前記第１の吸気口から前記本体ケース内に吸気した空気を前記吸熱器、前記熱交換器の前記第２の熱交換風路を順次介して前記吹出口へと送風する第１の除湿風路と、前記第１の羽根部によって、前記第１の吸気口から前記本体ケース内に吸気した空気を前記熱交換器の前記第１の熱交換風路を介して前記吹出口へと送風する第２の除湿風路と、前記第２の羽根部によって、前記第２の吸気口から前記本体ケース内に吸気した空気を前記放熱器を介して前記吹出口へと送風する温風風路とを有し、前記第２の羽根部の第２の送風量は、前記第１の羽根部の第１の送風量より大きいことを特徴とし、これにより初期の目的を達成するものである。
【発明の効果】
【０００７】
本発明によれば、風路抵抗を低減することで、除湿装置の騒音の増加を抑制し、風量を増加させ、部屋干しの洗濯物の乾燥時間を短縮するという効果のある除湿装置を提供できる。
【図面の簡単な説明】
【０００８】
【図１】本発明の実施形態１の除湿装置の本体ケース内を示す概略図
【図２】同除湿装置の熱交換器の分解図
【図３】本発明の実施形態２の除湿装置の本体ケース内を示す概略図
【発明を実施するための形態】
【０００９】
以下、本発明の実施例について図面を参照しながら説明する。
【００１０】
（実施の形態１）
図１に示すように、除湿装置の本体ケース１は、略箱形状で、外側面の前面側には、第１の吸気口２を、外側面の背面側には、第２の吸気口３を備え、上部には、吹出口４を有している。
【００１１】
本体ケース１内には、冷凍サイクル５と、熱交換器６と、送風装置７と、集水部８と、集水タンク９とを備えている。
【００１２】
冷凍サイクル５は、圧縮機１０、圧縮機１０の下流に順次設けた放熱器１１、膨張手段１２としてキャピラリーチューブ、吸熱器１３とからなり、これらを、この順に冷媒配管１４で接続して冷凍サイクルを形成している。吸熱器１３と放熱器１１とは、対向して配置されている。吸熱器１３と放熱器１１との間に、吸熱器１３側から順に、熱交換器６、送風装置７とを備えている。吸熱器１３は、本体ケース１における第１の吸気口２に対向して配置され、放熱器１１は、本体ケース１における第２の吸気口３に対向して配置されている。第１の吸気口２、吸熱器１３、熱交換器６、送風装置７、放熱器１１、第２の吸気口３は、本体ケース１の前後方向において一直線上に配置されている。
【００１３】
熱交換器６は、直方体の下面が傾斜した形状で、吸熱器１３と送風装置７との間で、吸熱器１３から送風装置７への風路中に設けられている。この熱交換器６は、熱交換を行なうことができる第１の熱交換風路１５と第２の熱交換風路１６とを有する。図２に示すように、具体的には、熱交換器６は、直交流型であり、第１の熱交換風路１５は、熱交換器６における鉛直方向の風路であり、第２の熱交換風路１６は、熱交換器６における水平方向の風路である。熱交換器６は、例えば、顕熱交換器であり、樹脂または金属などからなる第１の伝熱板１７と第２の伝熱板１８を交互に積層して形成されたものである。第１の伝熱板１７は、水平方向に伸びた多数の第１のリブ１９を備え、第２の伝熱板１８は、垂直方向に伸びた多数の第２のリブ２０を備えている。第１の熱交換風路１５は、第１の伝熱板１７と、第２の伝熱板１８と、複数の第２のリブ２０とによって囲まれた風路である。第２の熱交換風路１６は、第１の伝熱板１７と、第２の伝熱板１８と、複数の第１のリブ１９によって囲まれた風路である。
【００１４】
図１に示すように、送風装置７は、ケーシング部２１と、モータ部２２と、第１の羽根部２３と、第２の羽根部２４とを有している。
【００１５】
ケーシング部２１は、熱交換器６に対向した第１の面２５と、放熱器１１に対向した第２の面２６と、第１の面２５と第２の面２６とに挟まれたスクロール面２７とを有している。第１の面２５には、円形の開口である第１の吸込口２８を、第２の面２６には、円形の開口である第２の吸込口２９を、スクロール面２７の上部には四角形の開口である吐出口３０を有している。
【００１６】
モータ部２２は、ケーシング部２１の第２の面２６に固定され、モータ部２２から熱交換器６の方向へ水平に回転軸（図示せず）が延びている。回転軸には、第１の羽根部２３と第２の羽根部２４とが固定されている。
【００１７】
第１の羽根部２３と第２の羽根部２４とは、一体に形成している。一例としては、第１の羽根部２３と第２の羽根部２４とは、樹脂成型によって一体となり、主板部分の両面からに翼部分が延びたシロッコファンである。第１の羽根部２３は、円板形状の主板部分３２と、主板部分３２から熱交換器６の方向へ水平に多数の第１の翼部分３３が延びている。第２の羽根部２４は、円板形状の主板部分３２と、主板部分３２から放熱器１１の方向へ水平に多数の第２の翼部分３４が延びている。
【００１８】
本体ケース１内には、第１の除湿風路３５と、第２の除湿風路３６と、温風風路３７とを有している。第１の除湿風路３５は、第１の吸気口２、吸熱器１３、熱交換器６の第２の熱交換風路１６、ケーシング部２１の第１の吸込口２８、第１の羽根部２３、ケーシング部２１の吐出口３０を介して吹出口４へ連通する風路である。第２の除湿風路３６は、第１の吸気口２、熱交換器６の第１の熱交換風路１５、ケーシング部２１の第１の吸込口２８、第１の羽根部２３、ケーシング部２１の吐出口３０を介して吹出口４へ連通する風路である。温風風路３７は、第２の吸気口３、放熱器１１、ケーシング部２１の第２の吸込口２９、第２の羽根部２４、ケーシング部２１の吐出口３０を介して吹出口４へ連通する風路である。
【００１９】
送風装置７が動作すると、第１の除湿風路３５では、第１の羽根部２３によって第１の吸気口２から本体ケース１内に吸気した空気は、吸熱器１３へ送風され、吸熱器１３を通って冷却除湿される。冷却除湿された空気は、熱交換器６の第２の流入口３８より第２の熱交換風路１６に入り、第１の流入口３９から流入した空気と熱交換を行い、加熱され、第２の流出口４０より出て、第１の羽根部２３によって本体ケース１外に送風される。
【００２０】
また、送風装置７が動作すると、第２の除湿風路３６では、第１の羽根部２３によって第１の吸気口２から本体ケース１内に吸気した空気は、熱交換器６の上面である第１の流入口３９より第１の熱交換風路１５に入り、すでに第２の流入口３８より第２の熱交換風路１６を流れる吸熱器１３により冷却除湿された空気と熱交換して冷却除湿され、熱交換器６の下面である第１の流出口４１から出る。この冷却除湿された空気は、第１の羽根部２３によって本体ケース１外に送風される。冷却除湿時に、熱交換器６の第１の熱交換風路１５と、吸熱器１３とで発生した結露水は、集水部８に滴下し、集水部８の連通孔４２を介して、集水タンク９に滴下する。
【００２１】
また、送風装置７が動作すると、温風風路３７では、第２の羽根部２４によって第２の吸気口３から本体ケース１内に吸気した空気は、放熱器１１へ送風され、放熱器１１を通って加熱される。この加熱された空気は、第２の羽根部２４によって本体ケース１外に送風される。
【００２２】
集水部８は、漏斗状であり、吸熱器１３及び熱交換器６の下方に設けられている。集水部８は、底面に、上下方向に中心軸が延びた円筒形状の連通孔４２を有している。集水部８は、吸熱器１３及び熱交換器６から滴下する結露水を集め、集められた結露水は連通孔４２から集水タンク９に滴下する。集水部８は、吸熱器１３及び熱交換器６の下方を覆い、風路の一部を形成している。
【００２３】
集水タンク９は、深底皿形状で、集水部８の下方であり、吸熱器１３、熱交換器６、送風装置７、及び放熱器１１の下方に、本体ケース１に対して着脱自在に配置されている。これにより、結露水が、送風装置７から滴下した場合にも、集水タンク９に集めることができる。集水タンク９は、本体ケース１の左右方向における一方側に配置され、圧縮機１０は、本体ケース１の左右方向における他方側に配置されている。集水タンク９の本体ケース１における前後方向の寸法は、本体ケース１の前面から背面までの寸法より一回り小さい寸法である。集水タンク９の本体ケース１における左右方向の寸法は、集水タンク９の本体ケース１における前後方向の寸法より大きい。これにより、集水タンク９の貯水容量を向上できる。
【００２４】
本実施形態における特徴は、本体ケース１内には、第１の羽根部２３によって送風される第１の除湿風路３５と第２の除湿風路３６と、第２の羽根部２４によって送風される温風風路３７とを有し、第２の羽根部２４の第２の送風量は、第１の羽根部２３の第１の送風量より大きい点である。
【００２５】
具体的には、熱交換器６を有する第１の除湿風路３５と第２の除湿風路３６に加えて、熱交換器６を有していない温風風路３７を設けたので、風路抵抗が小さくなり、風量が増加する。更に、第２の羽根部２４によって送風される温風風路３７には、熱交換器６を通過する風路が無いので、第１の羽根部２３によって送風される第１の除湿風路３５と第２の除湿風路３６とを合わせた風路抵抗より、温風風路３７の風路抵抗が小さくなる。送風装置７は、第２の羽根部２４における回転軸の軸方向の寸法は、第１の羽根部２３における回転軸の軸方向の寸法より大きく、第２の翼部分３４の長さが、第１の翼部分３３の長さより長い。結果として、熱交換器６を通過しない温風風路３７で加熱された空気である第２の送風量は、第１の除湿風路３５および第２の除湿風路３６で冷却除湿された空気である第１の送風量より大きくなる。
【００２６】
このように、風路抵抗の小さい温風風路３７における風量を増加させることにより、騒音の増加を抑制し、風量を増加させることができる。放熱器１１によって加熱される空気が増え、部屋干しの洗濯物へ送風される風量が増加し、部屋干しの洗濯物が乾きやすくなる。また、放熱器１１の放熱量が増え、吸熱器１３での除湿効率が向上する。
【００２７】
また、第１の吸気口２は、本体ケース１における前面側に配置されている。第１の吸気口２は、第２の吸気口３に比べて、通過する風量が小さいので、第２の吸気口３に比べて騒音が低減される。結果として、第２の吸気口３を本体ケース１における前面側に配置するより、第２の吸気口３を本体ケース１における前面側に配置する方が、本体ケース１における前面側の騒音を低減することができる。
【００２８】
また、送風装置７は、第１の羽根部２３と第２の羽根部２４とを回転させるモータ部２２を有し、第１の羽根部２３と第２の羽根部２４とは一体に形成されている。モータ部２２は、第２の羽根部２４と放熱器１１との間の温風風路３７に配置されている。
【００２９】
これにより、モータ部２２は、第２の羽根部２４と放熱器１１との間の温風風路３７に配置されているので、モータ部２２で発生する廃熱も利用することで温風風路３７を流れる空気温度の上昇に寄与し、部屋干しの洗濯物を乾きやすくする効果がある。
【００３０】
また、樹脂で一体に形成した場合、羽根の金型が１つとなり金型費用の削減が可能となる。風量バランスを第１の羽根部２３の第１の翼部分３３と第２の羽根部２４の第２の翼部分３４の翼長さ比および第１の羽根部２３の羽根径と第２の羽根部２４の羽根径の羽根径比および第１の吸気口２と第２の吸気口３の開口面積比等の様々な方法で調整することが可能となり、それぞれのメリットとデメリットを考慮して最適な解決方法を選択することができる。
【００３１】
また、モータ部２２は、第２の羽根部２４と放熱器１１との間の温風風路３７に配置されているので、熱交換器６を有する第１の除湿風路３５と第２の除湿風路３６と比較し風路抵抗への影響は限定的でモータ部２２で発生する廃熱も利用することで温風風路３７を流れる空気温度の上昇に寄与し、部屋干しの洗濯物を乾きやすくする効果がある。
【００３２】
（実施の形態２）
図３は、本発明の実施の形態２における、本発明の実施形態２の除湿装置の模式図である。実施の形態１と同様の構成要素については、同一の符号を付し、その詳細な説明は省略する。
【００３３】
図３に示すように、実施の形態１と相違する点は、送風装置７である。送風装置７は、ケーシング部２１と、第１の羽根部２３と、第２の羽根部２４と、仕切り板４３と、モータ部２２とを有している。
【００３４】
ケーシング部２１は、熱交換器６に対向した第１の面２５と、放熱器１１に対向した第２の面２６と、第１の面２５と第２の面２６とに挟まれたスクロール面２７とを有している。第１の面２５には、円形の開口である第１の吸込口２８を、第２の面２６には、円形の開口である第２の吸込口２９を、スクロール面２７には四角形の開口である吐出口３０を有している。
【００３５】
第１の羽根部２３と第２の羽根部２４は、主板部分の一方側面から翼部分が延びたシロッコファンである。第１の羽根部２３は、円板形状の第１の主板部分３２ａと、第１の主板部分３２ａから熱交換器６の方向へ水平に多数の第１の翼部分３３が延びている。第２の羽根部２４は、円板形状の第２の主板部分３２ｂと、第２の主板部分３２ｂから放熱器１１の方向へ水平に多数の第２の翼部分３４が延びている。
【００３６】
仕切り板４３は、板形状であり、第１の羽根部２３と第２の羽根部２４との間に配置され、ケーシング部２１に固定されている。
【００３７】
モータ部２２は、仕切り板４３に固定され、モータ部２２から熱交換器６の方向へ水平に第１の回転軸（図示せず）が延び、モータ部２２から放熱器の方向へ水平に第２の回転軸（図示せず）が延びている。第１の回転軸には、第１の羽根部２３が固定され、第２の回転軸には、第２の羽根部２４が固定されている。
【００３８】
これにより、モータ部２２は、風路には配置されず、第１の羽根部２３と第２の羽根部２４との間に配置されているので、風路抵抗が低減し、風量が増加する。結果として、除湿効率が向上する。
【産業上の利用可能性】
【００３９】
本発明にかかる除湿装置は、部屋干しの洗濯物を乾燥させる家庭用や事務所用などの、除湿装置として有用である。
【符号の説明】
【００４０】
１    本体ケース
２    第１の吸気口
３    第２の吸気口
４    吹出口
５    冷凍サイクル
６    熱交換器
７    送風装置
８    集水部
９    集水タンク
１０    圧縮機
１１    放熱器
１２    膨張手段
１３    吸熱器
１４    冷媒配管
１５    第１の熱交換風路
１６    第２の熱交換風路
１７    第１の伝熱板
１８    第２の伝熱板
１９    第１のリブ
２０    第２のリブ
２１    ケーシング部
２２    モータ部
２３    第１の羽根部
２４    第２の羽根部
２５    第１の面
２６    第２の面
２７    スクロール面
２８    第１の吸込口
２９    第２の吸込口
３０    吐出口
３２    主板部分
３３    第１の翼部分
３２ａ    第１の主板部分
３２ｂ    第２の主板部分
３４    第２の翼部分
３５    第１の除湿風路
３６    第２の除湿風路
３７    温風風路
３８    第２の流入口
３９    第１の流入口
４０    第２の流出口
４１    第１の流出口
４２    連通孔
４３    仕切り板
【図１】
2019086262.tif 000003
【図２】
2019086262.tif 000004
【図３】
2019086262.tif 000005